(57)【要約】【課題】あらゆる収納可能なスペースの有効活用と、雑貨等の小物を安全に収納可能な収納ユニットを提供する。【解決手段】収納物を収納可能な中空領域を構成する構成シートの中空収納部の内面の面のうち、１面以上の面が、着脱シートＡであり、前記着脱シートＡは、それ自体の面が略全面的に着脱可能な機能を備えた構成シートであり、前記１面以上の面自体が、略全面において、前記収納物を着脱可能に着磁、または係着、または吸着可能に保持可能であるか、または、向かい合う構成シート（10）である着脱材Ｂと着脱可能に着磁、または係着、または吸着可能に保持可能であることによって、可とう性を有する略シート状の素材から成る１以上の構成シートが、前記収納物を保持可能に前記着脱係止収納具内に保持する構成とさせる手段を取った。【選択図】図１
2020151007.tif 000002
【特許請求の範囲】
【請求項１】
収納物を収納可能な中空領域である中空収納部（７）が、可とう性を有する略シート状の素材から成る１以上の構成シート（１０）からなる収納具である着脱係止収納具（１）であって、前記中空収納部は開口可能な収納開口部（１８）を備え、構成シート（１０）の中空収納部（７）の内面の面のうち、１面以上の面が、着脱シートＡ（１４）の面であり、
前記着脱シートＡ（１４）は、それ自体の面が略全面的に着脱可能な機能を備えた構成シート（１０）であり、
前記着脱シートＡ（１４）の面自体が、略全面において、着脱可能に着磁、または係着、または吸着可能に保持可能であり、前記着脱シートＡと係止可能な収納物を保持可能とする構成であるか、または、着脱シートＡ（１４）が向かい合う構成シート（１０）である着脱材Ｂ（１５）と着脱可能に着磁、または係着、または吸着可能に保持可能であることによって、収納物を保持可能に前記着脱係止収納具（１）内に保持可能とすることを特徴とする着脱係止収納具（１）。
【請求項２】
前記着脱係止収納具（１）の可とう性を有する略シート状の素材から成る１以上の構成シート（１０）が、前記収納物を挟み込むことによって前記収納物は保持可能で、前記収納物は可とう性を有する前記構成シート（１０）である着脱シートＡ（１４）と、可とう性を有する構成シート（１０）である着脱材Ｂ（１５）の間に挟まれることによって保持可能で、前記着脱シートＡ（１４）と前記着脱材Ｂ（１５）は、相互の面同士で着脱可能に係止可能であり、前記着脱シートＡ（１４）と前記着脱材Ｂ（１５）は、前記挟み込まれた収納物を挟み込む部分以外の略全面において、相互の面同士で着脱可能に係止され、前記収納物は、前記着脱シートＡ（１４）と前記着脱材Ｂ（１５）によって、挟持されることによって、前記着脱係止収納具（１）内での動きを抑制可能に保持されることを特徴とする請求項１に記載の着脱係止収納具（１）。
【請求項３】
前記収納物は、前記着脱シートＡ（１４）と前記着脱材Ｂ（１５）によって、略全面を囲われて覆われて挟持されることによって、前記収納物が、前記着脱係止収納具（１）内での動きを抑制可能に保持されることを特徴とする請求項１から請求項２のいずれかに記載の着脱係止収納具（１）。
【請求項４】
前記着脱シートＡ（１４）が、マグネットシートまたは自己吸着シートまたは面ファスナーであり、前記着脱材Ｂ（１５）が、前記着脱シートＡ（１４）に、着脱可能に係止可能であることを特徴とする請求項３に記載の着脱係止収納具（１）。
【請求項５】
前記着脱係止収納具（１）の前記収納物を収容する為の中空領域を収納部とし、前記着脱シートＡ（１４）または前記着脱材Ｂ（１５）の収納部側を収納部内面側とし、前記着脱シートＡ（１４）または前記着脱材Ｂ（１５）の収納部内面側の反対側の前記着脱係止収納具（１）の外面側を、収納部外面側とし、前記着脱シートＡ（１４）または前記着脱材Ｂ（１５）の収納部外面側が、マグネットシートまたは自己吸着シートまたは面ファスナーであるか、または、マグネットシートまたは自己吸着シートまたは面ファスナーと係止可能に保持可能な面の構成であることを特徴とする請求項１から請求項４のいずれかに記載の着脱係止収納具（１）。
【請求項６】
前記着脱係止収納具（１）が、財布（４）または名刺入れまたはカード入れであることを特徴とする請求項１から請求項５のいずれかに記載の着脱係止収納具（１）。
【請求項７】
前記着脱係止収納具（１）が、ファイル（８）であることを特徴とする請求項１から請求項６のいずれかに記載の着脱係止収納具（１）。
【請求項８】
前記ファイル（８）の収納開口部（１８）が、縦方向の辺と横方向の辺の二辺であることを特徴とする請求項７に記載の着脱係止収納具（１）。
【請求項９】
前記着脱係止収納具（１）が、一方向のみに収納開口部（１８）を備えた衣類またはバッグに設けられたポケット（２）であることを特徴とする請求項１から請求項８のいずれかに記載の着脱係止収納具（１）。
【請求項１０】
前記着脱シートＡ（１４）または前記着脱材Ｂ（１５）が、１以上のスリット（２２）または穴又は長穴を備えていることを特徴とする請求項１から請求項９のいずれかに記載の着脱係止収納具（１）。
【請求項１１】
前記スリット（２２）または穴又は長穴が、前記前記着脱シートＡ（１４）または前記着脱材Ｂ（１５）の辺にかかっていないことを特徴とする請求項１から請求項１０のいずれかに記載の着脱係止収納具（１）。
【請求項１２】
前記スリット（２２）または穴又は長穴が、前記前記着脱シートＡ（１４）または前記着脱材Ｂ（１５）の辺にかかっていることを特徴とする請求項１０から請求項１１のいずれかに記載の着脱係止収納具（１）。
【請求項１３】
前記スリット（２２）または長穴が、斜め方向に設けられており、構成シートの様々な方向の歪または皺を吸収可能であることを特徴とする請求項１０から請求項１２のいずれかに記載の着脱係止収納具（１）。
【請求項１４】
前記スリット（２２）または穴又は長穴が、２以上の方向に設けられており、構成シートの様々な方向の歪または皺を吸収可能であることを特徴とする請求項１０から請求項１３のいずれかに記載の着脱係止収納具（１）。
【請求項１５】
前記スリット（２２）または穴又は長穴の長さまたは直径が、２０ｍｍ以下であることを特徴とする請求項１０から請求項１４のいずれかに記載の着脱係止収納具（１）。
【請求項１６】
着脱係止収納具（１）がファイルであり、前記スリット（２２）または穴又は長穴が、収納される紙の位置に対応していることを特徴とする請求項１０から請求項１５のいずれかに記載の着脱係止収納具（１）。
【請求項１７】
前記着脱シートＡ（１４）または前記着脱材Ｂ（１５）が、網状であることを特徴とする請求項１から請求項１６のいずれかに記載の着脱係止収納具（１）。
【請求項１８】
前記中空収納部（７）内に分割シート（６０）として、
前記着脱シートＡ（１４）または前記着脱材Ｂ（１５）が、前記中空収納部（７）内に係止して設けられ、前記中空収納部（７）内に設けられた前記分割シート（６０）の両面側の前記中空収納部（７）内に、前記収納物を、着脱可能に収納可能であることを特徴とする請求項１から請求項１７のいずれかに記載の着脱係止収納具（１）。
【請求項１９】
前記構成シート（１０）が、中空収納部（７）側である構成シート（１０）の内側の面と、中空収納部（７）側でない構成シート（１０）の外側の面の内、１面以上が、
略全面において、着脱可能に着磁または係着または吸着可能であることを特徴とする請求項１から請求項１８のいずれかに記載の着脱係止収納具（１）。
【請求項２０】
前記着脱係止収納具（１）の収納開口部（１８）に着脱可能に設けることが可能な収納名札（５１）であって、前記収納名札（５１）は、前記着脱可能に開閉可能な収納開口部（１８）に挟持して保持される札挟持部（５２）を備え、係る札挟持部（５２）は、前記着脱シートＡ（１４）または着脱材Ｂ（１５）と着脱可能であることにより、前記収納開口部（１８）が開いた際に、脱落し難いことを特徴とする収納名札（５１）。
【請求項２１】
前記収納名札（５１）の名前を記載する表示面である名前入れ面（５３）が、前記札挟持部（５２）の面と平行方向でない面を備えていることを特徴とする請求項２０に記載の収納名札（５１）。
【発明の詳細な説明】
【技術分野】
【０００１】
本発明は、主として、収納の省スペース化や、効率化、収納物の保護、安全に資する収納具に関する。
【背景技術】
【０００２】
従来から雑貨等の収納には多種多様な収納具が提案されている。係る収納具は機能的に収納するものから、収納効率よりもお洒落や装飾を目的とした収納具も存在する。しかしながら、様々な収納物の形状や量に合わせて、容易に自在にその収納物に合わせて自在に形状をフィットさせ、収納スペースの省スペース化を図ったり、収納物の落下を防止したり、スリを抑制可能としたり、収納された書類を、座屈することなく容易に自立可能とする等、様々な応用、有用性を備えた収納具は皆無といえ、そうした課題を解決しうる技術が求められているといえる。
【０００３】
そこで、従来からも種々の技術が提案されている。例えば、特許文献１には、発明の名称を「磁石収納部付ホルダー」とする技術が開示され、公知技術となっている（特許文献 １参照）。具体的には「矩形状で二枚合わせに重ねられたシートの、重ね合わされて隣接 するＬ二方向が閉鎖、対するＬ二方向が開放されているホルダーにおいて、ホルダーに磁石収納部を設ける」というものである。しかしながら、特許文献１に記載の発明は、ファイルの一部に設けた磁石にて、外側の他の物に係止するに過ぎず、前記問題の解決には至っていない。
【０００４】
また、特許文献２には、発明の名称を「マグネット付きカードケース」とする技術が開 示され、公知技術となっている（特許文献２参照）。具体的には「透明のポケット部の上 縁と下縁に、マグネットを内蔵した係止部を構成する」というものである。しかしながら、特許文献２に記載の発明も同様に、外側の他の物に係止する構成であるに過ぎず、前記問題の解決には至っていない。
【０００５】
また、特許文献３には、発明の名称を「掲示型プリント類収納ファイル」とする技術が 開示され、公知技術となっている（特許文献３参照）。具体的には「密着シートまたはマ グネットシートが付いた飾り板とプリント類を収納できる透明な複数プラスチックファイ ルを重ねて接着する。その透明プラスチックファイルの下方に、１枚ずつめくりやすいよ うに付箋が付いており、いつでもめくって見やすくなっている。なお、付箋には、密着シートやマグネットシートが付いているため、縦書きのプリントでも横書きのプリントでも 本発明品を回して使うことができ、縦開きにも横開きにも固定して見ることができるため ２枚のプリントを同時に掲示して見ることができる。」というものである。しかしながら 、特許文献３に記載の発明も同様に、外側の他の物に係止する構成であるに過ぎず、前記問題の解決には至っていない。
【０００６】
なお、本発明者は、発明の名称を「挟持収納ユニット」とする技術で特許を受けている。（特許文献４参照）具体的には「弾性あるいは可とう性を有する素材を一部または全部に備えた挟持用部材で ある構成シート部材が３以上で全体が構成され、前記構成シート部材は、一部重 なり合う領域を有するように前記構成シート部材が重畳的に、設けられ、該重な り合う領域に少なくとも１以上の係止部を設け、前記重畳的に重複して隣り合う 構成シート部材に挟まれた領域において形成される挟持領域にて挟まれ、前記収納物が、重畳的に挟まれて収納可能であるというものである。しかしながら、前記問題の解決には至っておらず、発明者は、より広い応用、活用範囲、よりシンプルあるいは多彩な部材、構造、及び、より発展的な部材、構造とその製造方法を開発するといった課題も追及すべきといえる。
【先行技術文献】
【特許文献】
【０００７】
【特許文献１】特開２００９−６９２４４号
【特許文献２】実開平６−３６７６号
【特許文献３】特開２００４−２４９７２４号
【特許文献４】特許６３９３８６４号
【発明の概要】
【発明が解決しようとする課題】
【０００８】
あらゆる、雑貨等の小物や財布、携帯電話や、紙の資料他の収納物の、紛失や破損を未然に防止し、保管のスペースの省スペース化を図れる収納ユニットを提供する。
【課題を解決するための手段】
【０００９】
本発明に係る着脱係止収納具は、
収納物を収納可能な中空領域である中空収納部が、可とう性を有する略シート状の素材から成る１以上の構成シート（１０）からなる収納具である着脱係止収納具であって、開口可能な収納開口部を備え、構成シート（１０）の中空収納部の内面の面のうち、１面以上の面が、着脱シートＡであり、
前記着脱シートＡは、それ自体の面が略全面的に着脱可能な機能を備えた構成シートであり、
前記１面以上の面自体が、略全面において、前記収納物を着脱可能に着磁、または係着、または吸着可能に保持可能であるか、または、向かい合う構成シート（10）である着脱材Ｂと着脱可能に着磁、または係着、または吸着可能に保持可能であることによって、可とう性を有する略シート状の素材から成る１以上の構成シート（１０）が、前記収納物を保持可能に前記着脱係止収納具内に保持する構成を採用する。
【００１０】
また、本発明は、前記着脱係止収納具の可とう性を有する略シート状の素材から成る１以上の構成シート（１０）が、前記収納物を挟み込むことによって前記収納物は保持可能で、
前記収納物は可とう性を有する前記構成シートである着脱シートＡと、可とう性を有する構成シートである着脱材Ｂの間に挟まれることによって保持可能で、
前記着脱シートＡと前記着脱材Ｂは、相互の面同士で着脱可能に係止可能であり、前記着脱シートＡと前記着脱材Ｂは、前記挟み込まれた収納物を挟み込む部分以外の略全面において、相互の面同士で着脱可能に係止され
前記収納物は、前記着脱シートＡと前記着脱材Ｂによって、挟持されることによって、前記着脱係止収納具内での動きを抑制可能に保持される構成を採用することもできる。
また、本発明は、前記収納物は、前記着脱シートＡと前記着脱材Ｂによって、略全面を囲われて覆われて挟持されることによって、前記収納物が、前記着脱係止収納具内での動きを抑制可能に保持される構成を採用することもできる。
【００１１】
また、本発明は、前記着脱シートＡが、マグネットシートまたは自己吸着シートまたは面ファスナーであり、前記着脱材Ｂが、前記着脱シートＡに、着脱可能に係止可能である構成を採用することもできる。
【００１２】
また、本発明は、前記着脱係止収納具の前記収納物を収容する為の中空領域を、収納部とし、前記着脱シートＡまたは前記着脱材Ｂの収納部側を収納部内面側とし、前記着脱シートＡまたは前記着脱材Ｂの収納部側の反対側の前記着脱係止収納具の外面側を、収納部外面側とし、前記着脱シートＡまたは前記着脱材Ｂの外面側が、マグネットシートまたは自己吸着シートまたは面ファスナーであるか、または、マグネットシートまたは自己吸着シートまたは面ファスナーと係止可能に保持可能な面の構成である構成を採用することもできる。
【００１３】
また、本発明は、前記着脱係止収納具が、財布である構成を採用することもできる。
【００１４】
また、本発明は、前記着脱係止収納具が、ファイルである構成を採用することもできる。
【００１５】
また、本発明は、前記ファイルの収納開口部が、縦方向の辺と横方向の辺の二辺である構成を採用することもできる。
【００１６】
また、本発明は、前記着脱係止収納具が、一方向のみに収納開口部を備えた衣類またはバッグに設けられたポケットである構成を採用することもできる。
【００１７】
また、本発明は、前記着脱シートＡまたは前記着脱材Ｂが、１以上のスリットまたは穴又は長穴を備えている構成を採用することもできる。
【００１８】
また、本発明は、前記スリットまたは穴又は長穴が、前記前記着脱シートＡまたは前記着脱材Ｂの辺にかかっていない構成を採用することもできる。
【００１９】
また、本発明は、前記スリットまたは穴又は長穴が、前記前記着脱シートＡまたは前記着脱材Ｂの辺にかかっている構成を採用することもできる。
【００２０】
また、本発明は、前記スリットまたは長穴が、斜め方向に設けられている構成を採用することもできる。
【００２１】
また、本発明は、前記スリットまたは穴又は長穴が、２以上の方向に設けられている構成を採用することもできる。
【００２２】
また、本発明は、前記スリットまたは穴又は長穴の長さまたは直径が、２０ｍｍ以下である構成を採用することもできる。
【００２３】
また、本発明の着脱係止収納具がファイルであり、前記スリットまたは穴又は長穴が、収納される紙の位置に対応している構成を採用しても良い。
【００２４】
また、本発明は、前記着脱シートＡまたは前記着脱材Ｂが、網状である構成を採用することもできる。
【００２５】
また、本発明は、 前記着脱シートＡまたは前記着脱材Ｂが、前記中空収納部内に係止して設けられた分割シートであり、前記中空収納部内に設けられた分割シートの両面側の前記中空収納部内に、前記収納物を収納可能である構成を採用することもできる。
【００２６】
また、本発明は、 前記構成シートが、中空収納部側である構成シートの内側の面と、中空収納部側でない構成シートの外側の面の内、１面以上が、略全面において、着脱可能に着磁または係着または吸着可能である構成を採用することもできる。
【００２７】
また、本発明は、前記着脱係止収納具の収納開口部に着脱可能に設けることが可能な収納名札であって、前記収納名札は、前記着脱可能に開閉可能な収納開口部に挟持して保持される札挟持部を備え、係る札挟持部は、前記着脱シートＡまたは着脱材Ｂと着脱可能であることにより、前記収納開口部が開いた際に、脱落し難い収納名札の構成を採用することもできる。
【００２８】
また、本発明は、 前記収納名札の名前を記載する表示面である名前入れ面が、前記札挟持部の面と平行方向でない面を備えている構成を採用することもできる。
【発明の効果】
【００２９】
本発明に係る着脱係止収納具によれば、様々な収納物の形状や量に合わせて、容易に自在にその収納物に合わせて自在に形状をフィットさせ、収納スペースの省スペース化を図れるという優れた効果を発揮する。
【００３０】
本発明に係る着脱係止収納具によれば、例えば、シャツのポケットとして、係る構成の収納具を設けることによって、容易収納物の落下を防止し、落下により収納物である財布や携帯電話の紛失や破損を防止が可能であるという優れた効果を発揮する。
【００３１】
本発明に係る着脱係止収納具によれば、例えば、シャツのポケットとして、係る収納具を設けることによって、すりを抑制可能となり、防犯にも有効であるという、社会的にも優れた効果を発揮する。
【００３２】
本発明に係る着脱係止収納具によれば、例えば、衣類のポケットとして、係る収納具を設けることによって、収納物をコインなどのポケットの中で、容易に暴れて音が鳴り、うるさい収納物の暴れを防止可能となり、優れた効果を発揮する。
【００３３】
本発明に係る着脱係止収納具によれば、例えば、書類ファイルである係る収納具とすることによって、収納した紙媒体が垂れたり、座屈したりして傷んだりせず、自立可能であり、また、省スペースに書類を整理可能で、また、書類の分類、整理が容易になるという優れた効果を発揮する。
【図面の簡単な説明】
【００３４】
【図１】本発明に係る着脱係止収納具の基本構成説明図である。
【図２】本発明に係る着脱係止収納具の着脱シートＡと着脱材Ｂの構成例の説明図である。
【図３】本発明に係る着脱係止収納具のスリットを設けられた例の構成説明図である。
【図４】本発明に係る着脱係止収納具が、ファイルである構成の説明図である。
【図５】本発明に係る着脱係止収納具が、構成シート１０の外側の面においても着脱可能な構成と収納名札の構成の例の説明図である。
【図６】本発明に係る着脱係止収納具が、分割シートを備えた構成の説明図である。
【図７】本発明に係る着脱係止収納具が、お札入れである財布の構成の説明図である。
【発明を実施するための形態】
【００３５】
本発明に係る着脱係止収納具１は、可撓性を有し、着脱可能な機能を有する、つまり、マグネットシートや、自己吸着シートや、面ファスナーをポケット２やファイル８の略一面以上とすることにより、雑貨等の物品の、不意の脱落や暴れによる破損や紛失を抑止可能とする効果が発揮されることを最大の目的と特徴とするものである。
つまり、例えば、着脱係止収納具１が衣類のポケット２で、係るポケット２に収納した財布４やお金が、係るポケット２から抜け落ちて紛失したり、スリを予防可能としたり、ポケット２の中で小銭がジャラジャラと音を立てるのを抑制するという有用性を発揮可能とするものである。
【００３６】
以下、図面に基づいて本発明に係る着脱係止収納具１について説明する。但し、図面に示した形状や配置構成等についてはあくまでも例示であり、本願発明の特徴的な効果が発揮される範囲において変更することを可能とする。
また、以下の各図のそれぞれの構成、説明は、代表的にその図面で係る構成、説明をしたものに過ぎず、その他の図面の構成に対しても、それぞれ、互いにそれぞれの構成、説明は応用可能であるものである。
【００３７】
図１は、着脱係止収納具１の基本構成の例を示している。
図１（ａ）は、一方向のみに収納開口部を備えたシャツのポケット２である着脱係止収納具１に、収納物Ｓとして、コイン９の入った口元をファスナー３で留められた財布４が入れられた構成の例であり、係る方形のポケット２は、方形の構成シート１０が、着脱シートＡ１４の一種であるマグネットシートであり、係るマグネットシートが係るシャツに下側と左右の３方向を縫製したシート係止部20にて係止して設けられており、係るＴシャツの本体を構成する生地と、係るマグネットシートとの間の中空領域を、中空収納部７とし、係る中空収納部７に、財布４である小銭入れが、鉄粉入りの可撓性の構成シート１０であり、着脱材Ｂ１５の一種である、スチールラバーシートあるいはマグネットシートで構成されていることによって、係る財布４を係るポケット２から脱落困難に保持可能にしているものであり、係る財布４は、係るポケット２の底で保持しているのではなく、係るポケット２の前面のマグネットシートである着脱シートＡ１４に着磁して係止することによって、保持されている構成の例である。
尚、係る収納物である財布は、名刺入れでもカード入れでも良く、限定しない。
尚、係る収納物は、破線にて記載されている。
【００３８】
図１（ｂ）は、図１（ａ）の構成と同等の構成の係るポケット２部分の縦断面図であり、マグネットシートが係るシャツにシート係止部20にて係止して設けられており、スチールラバーシートで全体を構成した財布４が、係るマグネットシートである着脱シートＡ１４に着磁して係止された構成である。
【００３９】
係る構成によって、シャツやズボン等の衣類や、バッグのポケット２に収納した財布４が、係るポケット２から抜け落ちて紛失したり、スリを予防可能となり、有用であり、特にスポーツ等の運動着においては、脱落や暴れ防止となり大変有用な構成であり、また、スーツなどにおいても、上着であるスーツを脱いで手で持つ際等に、財布や名刺入れやカード入れが、ポケットから脱落するのを防止可能とし、大変有用な構成である。
【００４０】
スチールラバーシートは、例えば鉄粉がラバー素材に混錬された可撓性の着磁可能なシートであり、またはスチールの薄膜を用いた構成でも良いし、またはラバーの代わりにエラストマー樹脂に鉄粉を混錬させても良いし、その他、本発明の技術的思想の範囲内、即ち、同一の作用効果を発揮できる範囲内で限定しない。
尚、係る着脱シートＡ１４が自己吸着シートや面ファスナーの場合は、係る着脱シートＡ１４と着脱材Ｂ１５の上から押さえないと十分に互いが係止される強度が発揮されない場合があるのと比較して、係る着脱シートＡ１４がマグネットシートの場合は、特に係る着脱シートＡ１４と着脱材Ｂ１５の上から押さえなくても、係止され易いので、収納物Ｓの脱落の心配は少なくなり、また、係止される対象が、鉄であれば良いので、例えば、キーホルダーに鉄の部分を設けることによって、鍵の紛失を防止可能である等、対応可能な収納物Ｓの範囲が広い構成であり、有用である。
一方、収納物Ｓが磁気カード等、磁気にあまり強くないような収納物Ｓの場合は、係る着脱シートＡ１４あるいは着脱材Ｂ１５は、例えば自己吸着シートや面ファスナーのように、磁気によるものではない構成の組み合わせとするのが望ましく、あるいは、片面着磁の構成とし、カード類は、非着磁側に収納する構成としても良い。
【００４１】
また、係る収納物Ｓである財布４は、略全体が着脱材Ｂ１５で構成されることによって、係る収納物Ｓを、どのような向きで係る中空収納部７に収納されても、着脱シートＡ１４側と係止可能に接触可能な構成となっており、有用であり、また、係る着脱材Ｂ１５を、係る収納物Ｓである財布４の外面の一部のみに設ける構成としても良いが、それによって、着脱シートＡ１４との係止強度の低下や、係止可能方向の限定、一部だけに係る着脱材Ｂ１５を設ける加工工数の増大といったデメリットも、あるものである。
【００４２】
図１の構成における係る収納物Ｓは、着脱材Ａと着脱可能に係止可能である素材を備えた構成であるものである。 
着脱シートＡ１４は、それ自体の面が略全面的に着脱可能な機能を備えた構成シート１０であり、マグネットシートであっても良いし、面ファスナーでも良いし、自己吸着シートでも良く、その他、本発明の技術的思想の範囲内、即ち、同一の作用効果を発揮できる範囲内で限定しない。
【００４３】
着脱材Ｂ１５は、着脱材Ａに対して着脱可能に係止可能な可撓性シート材あるいは板材であり、着脱材Ａがマグネットシートである場合は、スチールラバーシートやスチールの板材やマグネットラバーシートと着磁して係止可能とするものであり、着脱材Ａが面ファスナーである場合は、着脱材Ａと係止可能に対を成す面ファスナーが係着して係止可能とするものであり、また、着脱材Ａが自己吸着シートである場合は、係る自己吸着シートが係止可能な平滑な樹脂シート等と吸着して係止可能とするものであり、その他、本発明の技術的思想の範囲内、即ち、同一の作用効果を発揮できる範囲内で限定しない。
【００４４】
また、自己吸着シートは、樹脂材やゴム材の微細な気泡による吸着による係止でも良いし、ゲル状によるものでも良く、その他、本発明の技術的思想の範囲内、即ち、同一の作用効果を発揮できる範囲内で限定しない。
【００４５】
構成シート１０は、係る中空収納部７を構成する可撓性の素材によるシートであり、着脱シートＡ１４または可撓性シートである着脱材Ｂ１５は、係る構成シート１０の一種であり、その他、係る構成シート１０の素材は、可とう性を有したシート状で、テント生地やメッシュ生地等の布状部材、他各種繊維素材、各種ゴムや各種樹脂シート製、綿、麻等の天然素材、紙製、金属メッシュ等金属、また、色も透明、蛍光、光っても良く、その他、必要に応じた強度、機能を有し、本発明と同一の作用効果を発揮できる範囲内でその素材を限定しない。
【００４６】
尚、着脱材Ｂ１５の構成の内、係る着脱材Ｂが板状材の場合も、係る構成シート１０あるいは着脱シートＡと一緒に、係る中空収納部７を構成するものである。
係る着脱材Ｂ１５が可撓性である場合、可撓性であることによって、係る着脱係止収納具全体が柔軟性を備えることにより、係る着脱シートＡ１４と着脱材Ｂ１５が収納物の形状により柔軟に追従し、また、より柔軟に形状に追従可能である為に、係る着脱シートＡ１４と着脱材Ｂ１５がよくなじみ、より少ない応力で密着可能であることによって、より、しっかりした係止強度を備えることが可能であり、また、財布や衣類のポケット等においては、体等の動きや形に合わせてより柔軟に追従可能であるので、違和感も少なく、あるいは破損もし難く、有用である。
また、係る着脱材Ｂ１５が板材である場合、係る着脱係止収納具全体が例えば、ファイルの場合、より、係るファイルを立てて保管し易く、また、係るファイルを立てた際も、収納された紙や資料が、係る着脱シートＡ１４と着脱材Ｂ１５によって密着して挟持されている為、座屈し難く、有用である。
【００４７】
また、構成シート１０の形状は、多角形、丸、楕円、その他異形でも、長さ、大きさ違いの組み合わせ違いでもよく、その形状を限定せず、また、厚さも、本発明と同一の作用効果を発揮できる範囲内で限定しない。
尚、九十九折り線で示したシート係止部20は、構成シート１０が、縫製や接着等によって係止されるものである。
【００４８】
図２は、対面した着脱シートＡ１４と着脱材Ｂ１５によって、挟まれた中空収納部７に収納物Ｓが収納可能で、係る中空収納部７が、係る着脱シートＡ１４と着脱材Ｂ１５が略全面的に着脱可能に係止可能であることによって、係る収納物Ｓが、容易には脱落しないように保持可能である構成の例である。
【００４９】
図２（ａ）の構成の例は、収納物Ｓが例えば紙の資料であり、係る紙の資料が対面した着脱シートＡ１４と着脱材Ｂ１５によって構成されるファイル８に挟まれ、係るファイル８は、縦方向の左側の辺と横方向の下側の辺にシート係止部20を備え、係る左側と下側のシート係止部20によって、係るシート係止部20を下方に位置して保持することによって、係る資料は絶対に重力方向である下側には絶対に落下しない構成であり、且つ、係る資料は、右側と上側も、または、着脱シートＡ１４と着脱材Ｂ１５によって着脱可能に係止されることによって、係る資料の全周が係止される状態となり、係る資料は、係るファイル８から、脱落し難く保持されることが可能であり、且つ、上側と右側の辺が着脱可能であることによって、ファイル８も開きやすく、資料を出し入れし易い構成であり、有用である。
【００５０】
係る構成によって例えば、一般的な可撓性樹脂でできた同様に２方向が開放なクリアファイル８だと、誤って、重要な資料が抜け落ちるような心配も軽減することが可能であり、しかも、挟み込む手間も掛からず、有用である。
【００５１】
また、係る構成シート１０が、図２（ｄ）に示される様に、略全面にて着脱可能に係止可能であることによって、係る収納物Ｓのサイズや形状が変わっても、安定的に脱落し難く、また、係る着脱係止収納具１内で、収納物Ｓが暴れることなく保持可能であり、また、収納物Ｓの全面が覆われているので、例えば、係る収納物Ｓが紙等の資料の場合、移動の際に傷めることも無く、有用である。
【００５２】
尚、係る図２（ｄ）は、図２（ａ）と同等の構成の例の縦断面図である。
尚、係る図面において、右上の構成シート１０がめくられているのは、係る構成シート１０が２重に設けられていることを分かり易くする為である。
【００５３】
図２（ｂ）の構成の例は、図２（ａ）と同等のファイル８に、図２（ａ）の収納物Ｓよりも縦長の収納物Ｓが収納された構成の例であり、係る収納物Ｓは、上側に突き出て収納されている構成である。
係る構成においても、左側と下側のシート係止部20によって、確実に左側と下側方向への脱落を防止して係る収納物Ｓを保持しながら、且つ、右側を着脱可能に係止されることによって、係る収納物Ｓを右側からも保持し、且つ、収納物Ｓを出し入れし易く有用である。
【００５４】
図２（ｃ）の構成の例は、図２（ａ）と同等のファイル８に、図２（ａ）の収納物Ｓよりもかなり小さな収納物Ｓが収納された構成の例であり、例えば、コイン９やペンの様な収納物Ｓが収納された構成の例であり、図２（ｅ）が、係るファイル８と同等のファイル８に、コイン９が収納された構成の例の上方からの縦断面図である。
【００５５】
係る収納物Ｓは、係るファイル８に対して、かなり小さく、重量もある為、例えば、このように左側と下側のみにシート係止部20を備えて、上側と右側が開放の普通の可撓性シートのファイル８の場合、例えば、係るファイル８を持って移動する場合、特に手に持って歩くと、慣性によって簡単に係る収納物Ｓが開放部から飛び出してしまうし、あるいは、コの字状のポケット２タイプの例えばクリアファイル８等の場合においては、全てのコイン９等の収納物Ｓが一番下に落ちて、出し入れし難いし、かさ張るし、誤って係るファイル８を横向きに持つと、同様に簡単に係る収納物Ｓが外に飛び出すこととなるものであるが、対面した着脱シートＡ１４と着脱材Ｂ１５によって、着脱可能に係止されて挟持されて保持されることによって、係る収納物Ｓが脱落し難く保持され、また、上側と右側が着脱可能に開放可能であるので、係るコイン９等の小さな収納物Ｓでも、出し入れし易く、また、係る収納物Ｓを取り出すために係るファイル８を開いた際にも、下側にシート係止部20を備えていることによって、係る収納物Ｓは外へ落下してしまう心配もなく、有用である。
【００５６】
図２（ｆ）と図２（ｇ）の構成の例は、対面した着脱シートＡ１４と着脱材Ｂ１５によって構成される着脱係止収納具１に収納された収納物Ｓの数やサイズによって柔軟に係る対面した着脱シートＡ１４と着脱材Ｂ１５が係る収納物Ｓのサイズや数に馴染んで着脱可能な部分が係止される状態の比較をする為の図である。
図２（ｆ）は、着脱係止収納具１内に、４つの収納物Ｓが収納されており、係る４つの収納物Ｓのサイズに沿って、係る対面した着脱シートＡ１４と着脱材Ｂ１５が、係着された構成であり、図２（ｇ）は、同等の着脱係止収納具１内に、３つの収納物Ｓが収納されており、係る３つの収納物Ｓのサイズに沿って、係る対面した着脱シートＡ１４と着脱材Ｂ１５が、係着された構成であり、係る２つの図面によって、収納物Ｓのサイズに合わせて、係る着脱係止収納具１を構成する着脱シートＡ１４と着脱材Ｂ１５が柔軟に対応して、係る収納物Ｓを保持可能となることを示している。
【００５７】
図２（ｈ）は、図２（ａ）の構成の例の収納物Ｓが収納されていない構成の側方からの部分縦断面図であり、係る下方の辺がシート係止部20を備えていることによって、２つの構成シート１０が対面している構成を示しており、図２（ｉ）の構成の例は、係る下方の辺が、曲折されることによって、２つの構成シート１０が対面している構成を示しており，係る図２（ｉ）構成に示される様に、係る対面する構成シート１０は、１つの構成シート１０から成る構成としても良く、１つの構成シート１０を曲折する構成の方が、シート係止部20が少なくて良いので、作業工数の削減、及び、着脱係止収納具１の強度の面においても、より有用な構成である。
尚、係る図２（ｉ）構成に示される様に、１つの構成シート１０を曲折する構成においては、係る曲折することによって対面し着脱可能な構成シートが、一方が着脱シートＡであり、もう一方が、着脱材Ｂとなるものである。
また、着脱シートＡあるいは着脱材Ｂは、伸縮性のある構成とすることによって、密着のし易さを高め、より、着脱可能な係止をし易く、且つ、強くすることが可能で、有用である。
【００５８】
図２の構成における係る収納物Ｓは、着脱材Ａの着脱可能に係止可能である素材を備えている必要はなく、着脱可能な面で構成された中空収納部７の内面にて挟持されることによる構成であるものである。
【００５９】
図３の構成は、略全面的に着脱可能な対面した着脱シートＡ１４と着脱材Ｂ１５によって構成される着脱係止収納具１の着脱シートＡ１４または着脱材Ｂ１５にスリット２２を備えられた構成の例を、シャツに設けられたポケット２によって説明するものである。
【００６０】
図３（ａ）の構成の例は、略全面的に着脱可能な対面した着脱シートＡ１４と着脱材Ｂ１５が、係るスリット２２を備えていない構成の着脱係止収納具１が、シャツにシート係止部20にて係止されて設けられたポケット２の構成の例を示しており、係るポケット２に、コイン９が７枚収納されている構成の例である。
【００６１】
このように、係るシャツのポケット２が、略全面的に着脱可能な構成であることによって、例えば、係るシャツを着て走ったり、前かがみになったとしても、係るコイン９は、係るコイン９に合わせて周囲を着脱可能に着脱シートＡ１４と着脱材Ｂ１５が互いに係止することによって、ポケット２から飛び出ることが抑制され、また、走るたびに、ジャラジャラとポケット２の中で暴れて音がして走る邪魔になるということも抑制でき、また、係るポケット２の底に係るコイン９が固まって溜まることによって、ポケット２が、部分的に大きく膨らみ、外観が悪いということも抑制可能であり、また、たとえ雨の日でも、係るポケット２への水の侵入を抑制可能であるので、係る収納物Ｓが、紙片やメモなどの濡れては困る収納物Ｓであっても、防水効果も備えた構成とすることも可能な構成の例であり、有用である。
【００６２】
図３（ｂ）の構成の例は、図３（ａ）の構成の例の着脱係止収納具１の部分のみの図であり、係る着脱係止収納具１を構成する、一番外側の構成シート１０の上方部に、係る構成シート１０の上辺の収納開口部１８にかからないスリット２２が、７本設けられた構成の例であり、真ん中の５本のスリット２２が少し開くことによって、係る収納物Ｓの形状に追従している構成の例であり、係るスリット２２によって、収納物Ｓであるコイン９によって膨らんだ構成シート１０が、係る収納開口部１８に向かって、しっかり閉じる様に係る収納物Ｓの形状に追従してなじむことが可能な構成であり、係るスリット２２部においても、対面した着脱シートＡ１４と着脱材Ｂ１５が、着脱可能に係止可能で、且つ、係る収納開口部１８の直下あたりの、スリット２２の設けられていないエリアで、よりしっかりと着脱シートＡ１４と着脱材Ｂ１５が密着して係止可能となる構成の例である。
【００６３】
尚、係るスリット２２は、例えば１円玉の直径が２０mmで厚さが１．５mmであるので、２０mm以下である構成とすることによって、少なくとも貨幣のポケット２からの脱落、紛失は抑止でき、また、鉛筆の軸径が７mm程度であるのが一般的で、係る円周が２２mm程度になり、また、着脱シートＡ１４と着脱材Ｂ１５が着脱可能に係止されるので、２０mm以下程度のスリット２２によって、略一般的な収納物Ｓの脱落は、防止可能であるが、用途によっては、係る必要なスリット２２サイズは様々で、限定しない。
また、係るスリット２２は、長穴でも、穴とする構成としても良いが、ただのスリット２２の場合、穴である構成と比較して着脱シートＡ１４と着脱材Ｂ１５が係止可能な面積は大きくなり、係止される強度は強くなるが、収納物Ｓの形状に対する追従性については、穴又は長穴の方が、係る穴形状が閉じる方向にも追従し易いので、有用である面があり、それぞれ一長一短がある為、着脱シートＡ１４や着脱材Ｂ１５の厚さとの兼ね合いも含めて、適切な構成を設定可能であり、その他、本発明の技術的思想の範囲内、即ち、同一の作用効果を発揮できる範囲内で限定しない。
【００６４】
また、係るスリット２２や、穴や長穴のサイズや数や方向、形状についても、
その他、本発明の技術的思想の範囲内、即ち、同一の作用効果を発揮できる範囲内で限定しない。
つまり、係る、スリット２２や、穴や長穴の形状については、十字型でも、Ｖ字型でも、鍋蓋型でも、星形でも良く、また、係る形状にすることによって、着脱シートＡ１４や着脱材Ｂ１５の収納物Ｓの形状への追従性は向上し、有用であり、その他係る形状は、その他、本発明の技術的思想の範囲内、即ち、同一の作用効果を発揮できる範囲内で限定しない。
【００６５】
また、係るスリット２２または穴は、一番外側の面の構成シート１０にのみ設けられた構成の例であるが、係るスリット２２または穴は、対面する着脱シートＡ１４と着脱材Ｂ１５の両方に設けた構成としても良いし、どちらか一方にのみ設けた構成としても良いが、両方側に設けた方が、両方の構成シート１０が、係る収納物Ｓの形状に追従し易くなるので、より、有用であり、また、例えば、係る対面する構成シート１０の両方が、係る収納物Ｓによって、同じように膨らんで変形する場合は、係る両方の構成シート１０の対面する略同じ位置に係るスリット２２を備えた方が、両方の構成シート１０が、略同等に変形して、互いに着脱可能に係止され易くなり、有用である。
【００６６】
また、係る両方の構成シート１０が対面する略同じ位置に係るスリット２２を備えた構成において、係る略同じ位置から、互いに平行に少しずらした位置に係るスリット２２を備えることによって、係る両方の構成シート１０が着脱可能に係止された場合に、お互いの構成シート１０が係るスリット２２部の強度を補完し合う為、有用であり、それは係る着脱係止収納具１の主な使用環境や、構成シート１０の強度によって、適切な構成を採用することが可能であるものである。
【００６７】
図３（ｃ）は、図３（ｂ）の構成において、係るスリット２２が横方向に設けられた構成の例であって、３段×３列の横方向のスリット２２が設けられており、下側２段のスリット２２が、係る収納物Ｓの形状に追従して、構成シート１０が係る収納物Ｓの形状になじんでいる構成の例であり、係るスリット２２を横方向に設けることによって、係る収納物Ｓとの段差が、上下にできやすい場合は、このように横方向にスリット２２を設けることによって、係る段差になじみ易く、有用である。
【００６８】
図３（ｄ）は、 係るスリット２２が、斜めにも設けられた構成の例であり、係るスリット２２が斜め方向であることによって、あるいは、複数の方向のスリット２２が混合して設けられることによって、様々な方向の構成シート１０の段差、あるいは、皺、あるいは、歪を吸収し易くなり、有用である構成の例であり、係る構成シート１０の上部に、３列×３段のスリット２２が設けられ、係る３列の両サイドの列のスリット２２は斜めに設けられており、真ん中のスリット２２は、横方向に設けられており、下部側の両サイドに、斜め方向のスリット２２が２本設けられていることによって、係る構成シート１０が係る収納物Ｓの形状に追従し、なじんで、対面した着脱シートＡ１４と着脱材Ｂ１５が、着脱可能に係止可能となっている構成の例である。
【００６９】
図３（ｅ）は、係るスリット２２が、辺に達している構成の例であり、係るスリット２２が、辺にかかっていることによって、係る収納開口部１８の辺の部分において、係る収納物Ｓによる、構成シート１０の膨らみの皺や歪がある場合も、係るスリット２２によって係る皺や歪を吸収して、対面した着脱シートＡ１４と着脱材Ｂ１５が、よりしっかりと、確実に係止し易い構成となっている。
【００７０】
図３（ｅ）の構成の例においては、係る着脱係止収納具１に、係る着脱係止収納具１の縦サイズよりも長い収納物Ｓとして、例えば、携帯電話や手帳が収納されており、係る収納物Ｓの形状に追従してなじんで係る収納物Ｓの周囲が着脱可能に係止されて収納されることによって、係るポケット２である着脱係止収納具１から、携帯電話や手帳が脱落するのを防止する構成である。
但し、係る開口部の辺にかかる様にスリット２２が設けられている構成の場合、互いに着脱可能に係止された収納開口部１８のシートＡと着脱材Ｂ１５をつまんで外す際に、特定のスリット２２部に負担がかかるのと、係るスリット２２によって、互いに係止された構成シート１０が分離してしまっているので、外し難い場合があるという問題点が発生する場合もあり、そうした問題点においては、 図３（ｂ） あるいは図３（ｃ）の構成の様に、係る開口部の辺にスリット２２が掛かっていない構成の方が、着脱し易く有用である。
【００７１】
これらのスリット２２や、穴あるいは長穴を構成シート１０設けることの最大の利点は、特に、収納物Ｓの厚さと、構成シート１０の柔軟性や伸縮性によっては、係る着脱係止収納具１に収納された収納物Ｓによる膨らみが、収納開口部１８まで筒状に解消されず、係る収納開口部１８が閉じることができなかったり、歪によって、すぐ開いてしまうことを抑制することを可能とし、極力、広い面積にて係る対面した着脱シートＡ１４と着脱材Ｂ１５が、着脱可能に係止可能とするものであり、有用である。
【００７２】
図３（ｆ）は、図３（ｅ）の構成の、係る構成シート１０にスリット２２を設けられた部分の縦断面図であり、収納物Ｓの両脇において、対面した着脱シートＡ１４と着脱材Ｂ１５が、互いに着脱可能に係止されることによって、しっかりと係る収納物Ｓを左右でホールドしながら、構成シート１０に設けられたスリット２２が係る収納物Ｓになじみ、収納物Ｓを落下可能に保持している構成である。
【００７３】
図４の構成の例は、着脱係止収納具１が、スリット２２または、穴を備えたファイル８の例である。
図４（ａ）は、図２（ａ）の構成のファイル８に、スリット２２が設けられており、係るスリット２２は、開放可能な上側と右側の辺部に近い部分に、係る辺に平行なスリット２２が、それぞれの辺に対して略平行に２列づつ、計１６か所設けられている構成である。
係るスリット２２は、例えば、Ａ４サイズの紙用のファイル８であれば、Ａ４サイズの紙のサイズに対応した位置に設けることによって、Ａ４サイズの一定の厚みのある資料などが収納される場合においても、対面した着脱シートＡ１４と着脱材Ｂ１５が、着脱可能に係止可能とするのを助けるものであり、また、Ａ５サイズ等、他のサイズの紙や資料が収納される場合もあるので、例えば、Ａ５サイズの紙の位置に対応した位置に係るスリット２２を設けることによって、複数の紙サイズに対して、対面した着脱シートＡ１４と着脱材Ｂ１５が、着脱可能に係止し易い構成となり、有用である。
【００７４】
図４（ｂ）は、図４（ａ）の構成と同等のファイル８において、左側の辺のシート係止部20側にも、２列に係る左側の辺に平行に１０か所のスリット２２が設けられており、係る左側の辺に垂直に１か所のスリット２２が設けられており、係るスリット２２とシート係止部20に囲われた中空収納部７に、１本の収納物Ｓであるペンが収納されている構成である。
係る構成の様に、想定される収納物Ｓに合わせて、スリット２２または穴や長穴を係る構成シート１０に設けることによって、係る対面した着脱シートＡ１４と着脱材Ｂ１５が、着脱可能に係止し易い構成となり、有用である。
【００７５】
図４（ｃ）の構成の例は、図４（ａ）の構成の様に、係るスリット２２が、収納される用紙等に合わせて位置に設けられたスリット２２と合わせて、そうした収納物Ｓを収納物Ｓを収納した際に、係る構成シート１０の表面に発生する皺や歪の位置に合わせて、係るスリット２２が備えられた構成の例であり、係る構成シート１０の各４角に向かって設けられた斜めのスリット２２が設けられた構成の例であり、このように、係る皺や歪が発生し易い部分に係るスリット２２や、穴や長穴を設けることが、より、係る対面した着脱シートＡ１４と着脱材Ｂ１５が、着脱可能に係止し易い構成となり、有用である。
【００７６】
図４（ｄ）の構成の例は、図４（ｃ）の構成の例と同様なスリット２２を備えた本発明に係る着脱係止収納具１であるファイル８に、係るファイル８に収納された紙類を綴じる為の穴であるファイリング穴４０と、係るファイル８をまとめてファイリングする為の穴である、連結穴４１を備えた構成であり、係る左側の辺に設けられたシート係止部20の外側にあたる左側に、係る連結穴４１が備えられ、係るシート係止部20の右側の構成シート１０の内側に、係るファイリング穴４０が設けられた構成であり、係るファイリング穴４０あるいは連結穴４１によって、係る収納物Ｓやファイル８を、整理整頓し易い構成となっている。
【００７７】
また、ファイリング穴４０を備えることによって、係るファイリング穴４０に紐などを通して係るファイル８に収納された紙をまとめて閉じることによって、係るファイル８を開いた際に、誤って紙が飛んだりするのを防止することが可能となり、有用である。
【００７８】
図４（ｅ）の構成の例は、係る構成シート１０である着脱シートＡ１４あるいは着脱材Ｂ１５が、網状である構成の例であり、係る構成シート１０が網状であることによって、様々な収納物Ｓの形状やサイズに、より柔軟に追従が可能であり、より柔軟に追従して係る収納物Ｓの形状になじむことによって、よりしっかりと収納物Ｓをホールドし、対面した着脱シートＡ１４と着脱材Ｂ１５も、互いに係止される面において、余計なひずみや皺による係止部の剥がれ易さを解消可能な構成となり、有用である。
尚、係る網状の構成シート１０である着脱シートＡ１４あるいは着脱材Ｂ１５は、内抜きでも良いし、紐状に成形されたものを、網状に設けた構成でも良く、網状であることによって、吸着面積は低下するが、軽量化と柔軟性と収納物Ｓの形状への追従性がアップすることによって、より良い保持が可能な構成である。
【００７９】
図５は、本発明に係る着脱係止収納具１であるファイル８における、係る構成シート１０が、係る中空収納部７を構成する構成シート１０の内側だけでなく、係る中空収納部７側と反対側の面、つまり、係る構成シート１０の外側の面においても、係る中空収納部７側と同様に、着脱可能に係止可能な面である構成とすることにより、他のファイル８等の着脱係止収納具１と着脱可能に係止可能となり、係るファイル８を、隣り合う他のファイル８と着脱可能に係止することにより、１つのファイル８では薄くて自立不可能であっても、立てて収納可能となり、
【００８０】
また、係る中空収納部７が、対面した着脱シートＡ１４と着脱材Ｂ１５が、着脱可能に係止されることによって、係る着脱シートＡ１４と着脱材Ｂ１５によって紙が挟持される為、係る紙等の資料が少数枚でも、係る紙が立てられていても座屈し難く、自立可能となり、収納スペースの有効活用や、資料の整理がし易くなり、有用である。
【００８１】
また、図面には示されていないが、係るファイルを、横向きに積んだ場合も、互いのファイルが着脱可能に係止可能で、また、紙の形状や量に合わせて、ファイルもなじむ為、より、鉛直に積み上げることが可能であり、且つ、ファイル内でも着脱可能に係止されているので、高く積んでも、ファイルが崩れ難く、より、高く積むことも可能となり、限られたスペースを、棚等の設置を最小限にして保管可能であるので、スペースの有効活用ができ、有用である。
【００８２】
このように、例えば、係る着脱係止収納具１が紙の資料等を収納するファイル８の場合、収納する紙の量に応じて、ファイル８の厚さがジャストフィットして収納可能であるので、スペースを有効に活用でき、本立て等が無くても、係るファイル８を立てて収納可能であるし、また、係るファイル８が隣のファイル８と着脱可能に係止されているだけであるので、簡単に必要なファイル８を抜き出すことが可能であり、つまり、わざわざ、穴でファイリングされている場合、必要な資料までのファイル８を穴から抜き出してから、必要なファイル８を取り出し、また、その抜き出したファイル８を穴に通して戻すという、面倒なファイル８の出し入れの手間を削減可能で、様々な有用性を備えた構成である。
【００８３】
図５（ａ）の構成の例は、係る着脱係止収納具１であるファイル８が立てて保管されている構成の例であり、係る隣り合ったファイル８は、例えば、係る構成シート１０の外面が着磁可能なマグネットシートであることによって互いに着脱可能に係止されて、自立した構成の例であり、係るファイル８に収納された紙類も、係る、中空収納部７内で 対面した着脱シートＡ１４と着脱材Ｂ１５が、着脱可能に係止されることによって、しっかり挟持されて座屈し難く自立している構成の例である。
【００８４】
図５（ａ）は、係るファイル８の背表紙側から見た図の例であり、15冊のファイル８が立てられており、係る１５冊のファイル８の内、背表紙にファイル名として、「○○営業所」と書かれたファイル８が一冊収納されている構成の例であり、係る背表紙は、対面した着脱シートＡ１４と着脱材Ｂ１５に挟まれて、係るシート係止部20に係る着脱シートＡ１４と着脱材Ｂ１５に係止されて設けられた構成の例である。
【００８５】
図５（ｂ）は、係るファイル８の小口５０側から見た図の例であり、一番左のファイル８の小口５０に、「△△営業所」と書かれた札である収納名札５１が、係る対面した着脱シートＡ１４と着脱材Ｂ１５に挟持されて、着脱可能に設けられた構成の例である。
係る収納名札５１は、係る収納名札５１の札挟持部５２を備え、係る札挟持部５２の片面または両面は、着脱係止収納具１であるファイル８の着脱シートＡ１４または着脱材Ｂ１５と同等の材料を備えられていることによって、係る着脱シートＡ１４または着脱材Ｂ１５と着脱可能に係止可能であることにより、係るファイル８の小口５０部に挟持された係る収納名札５１は、 係る構成シート１０を開いた際にも脱落せず、また、係る収納名札５１の位置や付け替えも容易である為、例えば、収納する収納物Ｓによって、収納名札５１の付け替えも容易で、有用である。
【００８６】
図５（ｃ）は、係る収納名札５１が挟持された部分の、部分横断面拡大図であり、係る収納名札５１は、札挟持部５２が係るファイル８の小口５０部において、係る構成シート１０に挟持され、係る小口５０部の略正面から視認可能に、係る札挟持部５２に備えられた名前入れ面５３を備え、本構成においては、係る名前入れ面５３が曲面である円筒状である構成の例である。
【００８７】
図５（ｄ）は及び図５（ｅ）は、係る収納名札５１の形状のバリエーションの形状を示す横断面図の例であり、図５（ｄ）はＴ字の収納名札５１の例であり、係るＴ字の足の部分が札挟持部５２の構成であり、図５（ｅ）は、Ｌ字の収納名札５１の例であり、それぞれの名前入れ面５３には、係る札挟持部５２に対して平行方向でない面の部分を備えていることによって、係るファイル８に係る収納名札５１が設けられて、係るファイル８が立てて収納された際に、係る小口５０側の略正面から、係るファイル名前入れ面５３を視認可能とする構成の例である。
【００８８】
尚、係る名前入れ面５３は、名前を記載する表示面であり、図５（ｃ）の構成の例の様に、曲面でも良く、係る収納名札を係るファイルに装着した状態で、視認可能な形状、あるいは構成であればよく、係る形状は、波型でも、Ｖ字型でも良く、係る札挟持部５２と直交方向または平行方向でない面を備えることによって、係る収納名札５１を設けた収納開口部の略正面側から係るファイル名が視認可能で、有用であり、その他、本発明と同一の作用効果を発揮できる範囲内で限定しない。
【００８９】
特に、例えば、一般的にクリアファイル等を積み重ねたり、机に収納していても、係るファイルの中に何のファイルが入っているかが分かりにくいが、係る収納名札によって、容易に、そうした薄手のファイルにも、係るファイルをテープ等で汚すことなく着脱可能であるので、整理整頓がはかどり、また、必要な書類等の収納物の探索の時間節約ともなり、大変有用である。
【００９０】
また、係る名前入れ面５３は、係る収納名札５１ の札挟持部５２と同一の面に備える構成としても良く、係る構成とすることによって、例えば、シャツのポケットに簡単に着脱可能な収納名札となり、一般的な胸に着ける収納名札が安全ピンやクリップであるのに比べて、構造がシンプルで、着脱が容易で、クリップのタイプの様に、ポケットの収納開口部に取り付けた際に、収納名札の重量により、ポケットの生地が前に垂れて、名前が見え難いということも無く、有用である。
【００９１】
係る収納名札５１を装着する位置は、構成シートが開閉可能な収納開口部の着脱可能に係止可能な挟持可能な部分であれば良く、ファイルの背、または小口の他、天でも地でも良く、天または地に装着する場合は、係るファイルの天または地を手前にして載置することが望ましい。
また、係る収納名札５１ は、ファイル以外の着脱係止収納具１の収納開口部に備える構成としても良く、手軽に着脱係止収納具１に着脱可能に収納物が認識可能となり、有用である。
【００９２】
図６は、図１における本発明に係る着脱係止収納具１において、着脱シートＡ１４が、中空収納部７内に一枚係止されて設けられた構成の縦断面図である。
図１（ｂ）の構成においては、係る着脱シートＡ１４または着脱材Ｂ１５が係るシャツの一番表側に設けられた構成であるので、係るポケット２の一番外側の構成シート１０に、着脱可能に係止して収納された財布４の重量がかかることとなり、係るポケット２を構成する構成シート１０の外観に皺が入ったり、垂れさがったりする場合もあり、係るシャツの外観的悪影響を及ぼすとともに、一番外側の構成シート１０が、着脱シートＡ１４または着脱材Ｂ１５であるということで、使われる素材が限定され、外観的な美観やバリエーションに限りがあり、好ましくない点がある。
【００９３】
図６（ａ）の構成の例は、図１（ａ）の構成の例と同様の形状の正面図であり、係るシャツに設けられたポケット２である着脱係止収納具１の中空収納部７内に、係る構成の縦断面図である図６（ｂ）の構成の例に示される様に、一般的にシャツを構成する普通の生地である構成シート１０に囲われた中空収納部７内に、１枚の着脱シートＡ１４がシート係止部20にて係止して設けられ、係る着脱シートＡ１４に、図１（ｂ）と同様の収納物Ｓである財布４が、係る着脱シートＡ１４に着脱可能に係止されて収納される構成の例であり、また、係る着脱シートＡ１４は、中空収納部７内において、係る中空収納部７を二分するような分割シート６０として設けられており、係る着脱シートＡ１４の両面側において、着脱可能な構成とすることによって、図６（ｂ）の構成の例の様に、係る着脱シートＡ１４の両側で、二つの収納物Ｓを着脱可能に係止可能に収納でき、係るポケット２から、着脱材Ｂ１５を備えた収納物Ｓである財布４や手帳や携帯電話を不意に落下させて、破損したり、紛失したり、スリに合ったりすることを抑制することが可能な構成であり有用であり、特にスポーツ等の運動着においては、大変有用な構成であり、例えば、サッカーなどの審判の様に、ポケットに様々な手帳等を入れて、激しく走るような衣類についても、そうした収納物の落下を防止可能で有用な構成である。
【００９４】
また、このように、着脱係止可能な着脱シートＡ１４を、中空収納部７内に係止可能に備えることによって、中空収納部７を構成する一番外側の構成シート１０に、直接収納物Ｓが着脱可能に係止されるわけではないので、外観的に係る外側の構成シート１０が収納物Ｓの重さによって垂れて、外見的な見苦しさを抑制可能で、有用である。
【００９５】
また、係る図６（ｂ）の構成の例の着脱シートＡ１４は、着脱材Ｂ１５として、財布４等の収納物Ｓに、着脱シートＡ１４を備えた構成としても良い。
また、係る中空収納部を構成する、係る分割シート６０以外の構成シートを、着脱シートＡ１４または着脱材Ｂ１５として、係る分割シート６０と着脱可能に挟持可能な構成としても良い。
【００９６】
図７の構成の例は、本発明に係る着脱係止収納具１が、紙幣を収納するお札入れである財布４の構成の例である。
本図のお札入れにおいては、中空収納部７である札入れ部に複数の収納物Ｓであるお札が収納されており、係る中空収納部７を構成する構成シート１０である着脱シートＡ１４の外側の面に、２つのカード入れ７０が設けられており、係る着脱シートＡ１４と対面する着脱シートＢと着脱可能に係止されることによって、係る収納物Ｓであるお札の脱落を抑制する構成の例である。
例えば、係る着脱シートＡ１４をマグネットシートとする場合、係るマグネットシートである着脱シートＡ１４の外側にカード入れ７０が設けられており、カードは、磁気カードの場合、磁気が、係る磁気カードに悪影響を及ぼす場合があるので、係る着脱シートＡ１４は、片面着磁のマグネットシートとして、係るカード入れ７０側には、磁気の無いタイプの着脱シートＡ１４としても良いし、磁気の関係ないタイプの着脱シートＡ１４とする構成としても良い。
【００９７】
尚、上記一連の本図の構成の例において、構成シート１０同士の係止部であるシート係止部20は、縫製でも、融着でも、接着でも、ステープラーでも、リベットでも良く、また、着脱可能な面ファスナーでも良いし、ホック、ボタン、マグネット、フック、ベルト、ファスナー３等でも良く、その他、本発明と同一の作用効果を発揮できる範囲内で限定しない。
【００９８】
また、各図に示されている構成の例、及び説明については、それぞれの各図の構成に対して、互いに応用可能である。
【００９９】
また、前記構成シート１０には、穴又は切り込みを設けても良い。
【０１００】
また、構成シート１０の素材は、可とう性を有したシート状で、テント生地やメッシュ生地等の布状部材、他各種繊維素材、各種ゴムや各種樹脂シート製、ビニール、綿、麻等の天然素材、紙製、網状、金属メッシュ等金属、張り剥がし自在なシートや自己吸着シート、マグネットシート、面ファスナー、スチールラバーシート、エラストマー系の樹脂、シリコンゴム、発泡樹脂、また、色も透明、蛍光、光っても良く、その他、必要に応じた強度、機能を有し、本発明と同一の作用効果を発揮できる範囲内でその素材を限定しない。用途によっては、シリコン樹脂やゴム、エラストマー系の樹脂等で、水漏れ防止としても良い。
また、構成シート１０が穴や切り込みを備えるか、あるいは網状の構成シート１０としても良い。
また、構成シート１０の形状も、波型、山形、その他異形でも、長さ、大きさ違いの組み合わせ違いでもよく、その形状を限定せず、また、厚さも、本発明と同一の作用効果を発揮できる範囲内で限定しない。
【産業上の利用可能性】
【０１０１】
本願発明は、収納物の収納スペースの省スペース化、収納物の破損、紛失、スリの予防を容易に可能とする、社会的にも有意義で、魅力的な発明品であり、産業上利用可能性は極めて高いと思慮されるものである。
【符号の説明】
【０１０２】
１     着脱係止収納具
２     ポケット
３     ファスナー
４     財布
７     中空収納部
８     ファイル
９     コイン
１０    構成シート
１４    着脱シートＡ
１５    着脱材Ｂ
１８    収納開口部
２０    シート係止部
２２    スリット・穴
４０    ファイリング穴
４１    連結穴
５０    小口
５１    収納名札
５２    札挟持部
５３    名前入れ面
６０  分割シート
７０    カード入れ
Ｓ      収納物
【図１】
2020151007.tif 000003
【図２】
2020151007.tif 000004
【図３】
2020151007.tif 000005
【図４】
2020151007.tif 000006
【図５】
2020151007.tif 000007
【図６】
2020151007.tif 000008
【図７】
2020151007.tif 000009
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
収納物を収納可能な中空領域である中空収納部（７）が、可とう性を有する略シート状の素材から成る１以上の構成シート（１０）によって囲われてなる収納具である着脱係止収納具（１）であって、前記中空収納部（７）は開口可能な収納開口部（１８）を備え、前記構成シート（１０）によって囲われた中空収納部（７）の内面の面のうち、１面以上の面が、着脱シートＡ（１４）の面であり、
前記着脱シートＡ（１４）は、それ自体の面が略全面的に着脱可能な機能を備えた構成シート（１０）であり、
前記着脱シートＡ（１４）の面自体が、略全面において、着脱可能に着磁、または係着、または吸着可能であり、着脱シートＡ（１４）が前記中空収納部（７）内で、向かい合う前記中空収納部（７）を構成する
構成シート（１０）である着脱材Ｂ（１５）と着脱可能に着磁、または係着、または吸着可能であることによって、収納物を挟み込んで挟持して保持可能に前記着脱係止収納具（１）内に保持可能であり、 
前記構成シート（１０）が、それ自体の面が略全面的に着脱可能な機能を備えた１つの構成シート（１０）である場合は、前記１つの構成シート（１０）が曲折することによって対面した面で前記中空収納部（７）が構成され、該対面した略全面的に着脱可能な前記構成シート（１０）において、該対面した一方が着脱シートＡ（１４）であり、もう一方が、前記着脱シートA（１４）と着脱可能な着脱材Ｂ（１５）となり、
また、前記構成シート（１０）が、それ自体の面が略全面的に着脱可能な機能を備えた、２以上の構成シート（１０）である場合は、対面して設けられた２以上の前記構成シート（１０）の一方が着脱シートＡ（１４）であり、もう一方が、前記着脱シートA（１４）と着脱可能な着脱材Ｂ（１５）となり、
前記着脱材Ｂ（１５）は可とう性を有する構成シート（１０）であり、前記着脱シートＡ（１４）と前記着脱材Ｂ（１５）は、相互の面同士の略全面で着脱可能に係止可能であり、前記着脱シートＡ（１４）と前記着脱材Ｂ（１５）は、前記挟み込まれた収納物を挟み込む部分以外の略全面において、相互の面同士で着脱可能に係止され、前記収納物は、前記着脱シートＡ（１４）と前記着脱材Ｂ（１５）によって、挟持されることによって、前記着脱係止収納具（１）内での動きを抑制可能に保持されることが可能である
ことを特徴とする着脱係止収納具（１）。
【請求項２】
前記収納物は、前記着脱シートＡ（１４）と前記着脱材Ｂ（１５）によって、略全面を囲われて覆われて挟持されることによって、前記収納物が、前記着脱係止収納具（１）内での動きを抑制可能に保持されることを特徴とする請求項１に記載の着脱係止収納具（１）。
【請求項３】
前記着脱シートＡ（１４）が、マグネットシートまたは自己吸着シートまたは面ファスナーであり、前記着脱材Ｂ（１５）が、前記着脱シートＡ（１４）に、着脱可能に係止可能であることを特徴とする請求項２に記載の着脱係止収納具（１）。
【請求項４】
前記着脱係止収納具（１）の前記収納物を収容する為の中空領域を収納部とし、前記着脱シートＡ（１４）または前記着脱材Ｂ（１５）の収納部側を収納部内面側とし、前記着脱シートＡ（１４）または前記着脱材Ｂ（１５）の収納部内面側の反対側の前記着脱係止収納具（１）の外面側を、収納部外面側とし、前記着脱シートＡ（１４）または前記着脱材Ｂ（１５）の収納部外面側が、マグネットシートまたは自己吸着シートまたは面ファスナーであるか、または、マグネットシートまたは自己吸着シートまたは面ファスナーと係止可能に保持可能な面の構成であることを特徴とする請求項１から請求項３のいずれかに記載の着脱係止収納具（１）。
【請求項５】
前記着脱係止収納具（１）が、財布（４）または名刺入れまたはカード入れであることを特徴とする請求項１から請求項４のいずれかに記載の着脱係止収納具（１）。
【請求項６】
前記着脱係止収納具（１）が、ファイル（８）であることを特徴とする請求項１から請求項５のいずれかに記載の着脱係止収納具（１）。
【請求項７】
前記ファイル（８）の収納開口部（１８）が、縦方向の辺と横方向の辺の二辺であることを特徴とする請求項６に記載の着脱係止収納具（１）。
【請求項８】
前記着脱係止収納具（１）が、一方向のみに収納開口部（１８）を備えた衣類またはバッグに設けられたポケット（２）であることを特徴とする請求項１から請求項７のいずれかに記載の着脱係止収納具（１）。
【請求項９】
前記着脱シートＡ（１４）または前記着脱材Ｂ（１５）が、１以上のスリット（２２）または穴または長穴を備えていることを特徴とする請求項１から請求項８のいずれかに記載の着脱係止収納具（１）。
【請求項１０】
前記スリット（２２）または穴または長穴が、前記着脱シートＡ（１４）または前記着脱材Ｂ（１５）の辺にかかっていないことを特徴とする請求項９に記載の着脱係止収納具（１）。
【請求項１１】
前記スリット（２２）または穴または長穴が、前記着脱シートＡ（１４）または前記着脱材Ｂ（１５）の辺にかかっていることを特徴とする請求項９に記載の着脱係止収納具（１）。
【請求項１２】
着脱係止収納具（１）がファイルであり、前記スリット（２２）または穴または長穴が、収納される紙の位置に対応していることを特徴とする請求項９から請求項１５のいずれかに記載の着脱係止収納具（１）。
【請求項１３】
前記着脱シートＡ（１４）または前記着脱材Ｂ（１５）が、網状であることを特徴とする請求項１から請求項１２のいずれかに記載の着脱係止収納具（１）。
【請求項１４】
前記中空収納部（７）内に分割シート（６０）として、
前記着脱シートＡ（１４）または前記着脱材Ｂ（１５）が、前記中空収納部（７）内に係止して設けられ、前記中空収納部（７）内に設けられた前記分割シート（６０）の両面側の前記中空収納部（７）内に、前記収納物を、着脱可能に収納可能であることを特徴とする請求項１から請求項１３のいずれかに記載の着脱係止収納具（１）。
【請求項１５】
前記構成シート（１０）が、中空収納部（７）側である構成シート（１０）の内側の面と、中空収納部（７）側でない構成シート（１０）の外側の面の内、１面以上が、
略全面において、着脱可能に着磁または係着または吸着可能であることを特徴とする請求項１から請求項１４のいずれかに記載の着脱係止収納具（１）。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
着脱係止収納具（１）は、ファイルであり、収納物を収納可能な中空領域である中空収納部（７）が、可とう性を有する略シート状の素材から成る１以上の構成シート（１０）によって囲われてなる収納具である着脱係止収納具（１）であって、前記中空収納部（７）は開口可能な収納開口部（１８）を備え、前記構成シート（１０）によって囲われた中空収納部（７）の内面の面のうち、１面以上の面が、着脱シートＡ（１４）の面であり、
前記着脱シートＡ（１４）は、それ自体の面が略全面的に着脱可能な機能を備えた構成シート（１０）であり、
前記着脱シートＡ（１４）の面自体が、略全面において、着脱可能に着磁可能なマグネットシート、または係着可能な面ファスナー、または吸着可能な自己吸着シートであり、着脱シートＡ（１４）が前記中空収納部（７）内で、向かい合う前記中空収納部（７）を構成する
構成シート（１０）である着脱材Ｂ（１５）と着脱可能に着磁可能、または係着可能であることによって、収納物を挟み込んで挟持して保持可能に前記着脱係止収納具（１）内に保持可能であり、 
前記構成シート（１０）が、それ自体の面が略全面的に着脱可能な機能を備えた１つの構成シート（１０）である場合は、前記１つの構成シート（１０）が曲折することによって対面した面で前記中空収納部（７）が構成され、該対面した略全面的に着脱可能な前記構成シート（１０）において、該対面した一方が着脱シートＡ（１４）であり、もう一方が、前記着脱シートＡ（１４）と着脱可能な着脱材Ｂ（１５）となり、
また、前記構成シート（１０）が、それ自体の面が略全面的に着脱可能な機能を備えた、２以上の構成シート（１０）である場合は、対面して設けられた２以上の前記構成シート（１０）の一方が着脱シートＡ（１４）であり、もう一方が、前記着脱シートＡ（１４）と着脱可能な着脱材Ｂ（１５）となり、
前記着脱材Ｂ（１５）は可とう性を有する構成シート（１０）であり、前記着脱シートＡ（１４）と前記着脱材Ｂ（１５）は、相互の面同士の略全面で着脱可能に係止可能であり、前記着脱シートＡ（１４）と前記着脱材Ｂ（１５）は、前記挟み込まれた収納物を挟み込む部分以外の略全面において、相互の面同士で着脱可能に係止され、前記収納物は、前記着脱シートＡ（１４）と前記着脱材Ｂ（１５）によって、挟持されることによって、前記着脱係止収納具（１）内での動きを抑制可能に保持されることが可能であり、前記着脱係止収納具（１）は、着脱可能な収納名札（５１）を収納開口部（１８）に備え、
前記収納名札（５１）は、前記着脱係止収納具（１）の収納開口部（１８）に着脱可能に設けることが可能であって、前記収納名札（５１）は、前記着脱可能に開閉可能な収納開口部（１８）に挟持して保持される札挟持部（５２）を備え、係る札挟持部（５２）は、前記着脱シートＡ（１４）または着脱材Ｂ（１５）と着脱可能であることにより、前記収納開口部（１８）が開いた際に、脱落し難いことを特徴とする着脱係止収納具（１）。
【請求項２】
前記収納名札（５１）の名前を記載する表示面である名前入れ面（５３）が、前記札挟持部（５２）の面と平行方向でない面を備えていることを特徴とする請求項１に記載の着脱係止収納具（１）。
【請求項３】
前記着脱シートＡ（１４）が、可撓性のマグネットシートであることを特徴とする請求項１から請求項２のいずれかに記載の着脱係止収納具（１）。
【請求項４】
前記着脱シートＡ（１４）及び前記着脱材Ｂ（１５）が、面ファスナーであることを特徴とする請求項１から請求項２のいずれかに記載の着脱係止収納具（１）。
【請求項５】
前記札挟持部（５２）が、面ファスナーであることを特徴とする請求項１から請求項２または請求項４のいずれかに記載の着脱係止収納具（１）。
【請求項６】
前記札挟持部（５２）が、マグネットシートまたはスチールの板またはスチールラバーシートであることを特徴とする請求項１から請求項３のいずれかに記載の着脱係止収納具（１）。
【請求項７】
前記ファイル（８）の収納開口部（１８）が、縦方向の辺と横方向の辺の二辺であることを特徴とする請求項６に記載の着脱係止収納具（１）。
【請求項８】
前記着脱シートＡ（１４）または前記着脱材Ｂ（１５）が、１以上のスリット（２２）または穴または長穴を備えていることを特徴とする請求項１から請求項８のいずれかに記載の着脱係止収納具（１）。
【請求項９】
前記着脱シートＡ（１４）または前記着脱材Ｂ（１５）が、網状であることを特徴とする請求項１から請求項１２のいずれかに記載の着脱係止収納具（１）。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
着脱係止収納具（１）は、ファイル（８）であり、収納物を収納可能な中空領域である中空収納部（７）が、可とう性を有する略シート状の素材から成る１以上の構成シート（１０）によって囲われてなる収納具である着脱係止収納具（１）であって、前記中空収納部（７）は開口可能な収納開口部（１８）を備え、前記構成シート（１０）によって囲われた中空収納部（７）の内面の面のうち、１面以上の面が、着脱シートＡ（１４）の面であり、
前記着脱シートＡ（１４）は、それ自体の面が略全面的に着脱可能な機能を備えた構成シート（１０）であり、
前記着脱シートＡ（１４）の面自体が、略全面において、着脱可能に着磁可能なマグネットシート、または係着可能な面ファスナー、または吸着可能な自己吸着シートであり、着脱シートＡ（１４）が前記中空収納部（７）内で、向かい合う前記中空収納部（７）を構成する
構成シート（１０）である着脱材Ｂ（１５）と着脱可能に着磁可能、または係着可能、または吸着可能であることによって、収納物を挟み込んで挟持して保持可能に前記着脱係止収納具（１）内に保持可能であり、 
前記構成シート（１０）が、それ自体の面が略全面的に着脱可能な機能を備えた１つの構成シート（１０）である場合は、前記１つの構成シート（１０）が曲折することによって対面した面で前記中空収納部（７）が構成され、該対面した略全面的に着脱可能な前記構成シート（１０）において、該対面した一方が着脱シートＡ（１４）であり、もう一方が、前記着脱シートＡ（１４）と着脱可能な着脱材Ｂ（１５）となり、
また、前記構成シート（１０）が、それ自体の面が略全面的に着脱可能な機能を備えた、２以上の構成シート（１０）である場合は、対面して設けられた２以上の前記構成シート（１０）の一方が着脱シートＡ（１４）であり、もう一方が、前記着脱シートＡ（１４）と着脱可能な着脱材Ｂ（１５）となり、
前記着脱材Ｂ（１５）は可とう性を有する構成シート（１０）であり、前記着脱シートＡ（１４）と前記着脱材Ｂ（１５）は、相互の面同士の略全面で着脱可能に係止可能であり、前記着脱シートＡ（１４）と前記着脱材Ｂ（１５）は、前記挟み込まれた収納物を挟み込む部分以外の略全面において、相互の面同士で着脱可能に係止され、前記収納物は、前記着脱シートＡ（１４）と前記着脱材Ｂ（１５）によって、挟持されることによって、前記着脱係止収納具（１）内での動きを抑制可能に保持されることが可能であり、前記着脱係止収納具（１）は、着脱可能な収納名札（５１）を前記収納開口部（１８）に備え、
前記収納名札（５１）は、前記着脱係止収納具（１）の前記収納開口部（１８）に着脱可能に設けることが可能であって、前記収納名札（５１）は、前記着脱可能に開閉可能な前記収納開口部（１８）に挟持して保持される札挟持部（５２）を備え、係る札挟持部（５２）は、前記着脱シートＡ（１４）または着脱材Ｂ（１５）と着脱可能であり、
前記札挟持部（５２）は、前記着脱シートＡ（１４）または着脱材Ｂ（１５）がマグネットシートの場合は、マグネットシートまたはスチールラバーシートまたはスチールの板であり、前記着脱シートＡ（１４）または着脱材Ｂ（１５）が面ファスナーの場合は、面ファスナーであり、前記着脱シートＡ（１４）または着脱材Ｂ（１５）が自己吸着シートの場合は、自己吸着シートと吸着可能な平滑な樹脂シートまたは自己吸着シートである
ことにより、前記収納開口部（１８）が開いた際に、脱落し難いことを特徴とする着脱係止収納具（１）。
【請求項２】
前記収納名札（５１）の名前を記載する表示面である名前入れ面（５３）が、前記札挟持部（５２）の面と平行方向でない面を備えていることを特徴とする請求項１に記載の着脱係止収納具（１）。
【請求項３】
前記ファイル（８）の収納開口部（１８）が、縦方向の辺と横方向の辺の二辺であることを特徴とする請求項１から請求項２のいずれかに記載の着脱係止収納具（１）。
【請求項４】
前記着脱シートＡ（１４）または前記着脱材Ｂ（１５）が、１以上のスリット（２２）または穴または長穴を備えていることを特徴とする請求項１から請求項３のいずれかに記載の着脱係止収納具（１）。
【請求項５】
前記着脱シートＡ（１４）または前記着脱材Ｂ（１５）が、網状であることを特徴とする請求項１から請求項４のいずれかに記載の着脱係止収納具（１）。